(57)【要約】【課題】  個々人が家庭で容易に、かつ、安価にオリジナルカバーケースを作製できるカバーケース作製キットを提供する。【解決手段】  外貼り用プリント紙と箱状に組み立てられるカバーケース芯材とを有し、カバーケース芯材は２本の中央折り返し線によってカバーケースの第一側面を形成する第一側面部と、第二側面を形成する第二側面部と、両側面部の間に位置しケースの厚みを決める背面部とに区画され、両側面部の天側上端には各天側折り返し線を介して各天側折畳み部分が形成され、地側下端には各地側折り返し線を介して各地側折畳み部分が形成され、組立時には各天側折畳み部分が重ね合わせに折畳まれ貼着されてケースの天側面が形成され、また、各地側折畳み部分が重ね合わせに折畳まれ貼着されてケースの地側面が形成され、更に、箱状のカバーケースの表面に印刷後の外貼り用プリント紙を貼着してカバーケースを作製するカバーケース作製キットである。【選択図】        図１
2005319631.tif 000002
【特許請求の範囲】
【請求項１】
タイトルや模様等が描かれる外貼り用プリント紙と、箱状に組み立てられるカバーケース芯材とを有するオリジナルカバーケース作製用のカバーケース作製キットであって、
カバーケース芯材は、略中央に設けられた天地方向に向かう互いに平行な２本の中央折り返し線によって、上記カバーケースの第一側面を形成する第一側面部と、上記カバーケースの第二側面を形成する第二側面部と、これら第一側面部と第二側面部との間に位置してカバーケースの厚みを決定する背面部とに区画されており、また、
第一側面部と第二側面部の天側上端にはそれぞれ天側折り返し線を介してそれぞれ天側折畳み部分が形成され、また、第一側面部と第二側面部の地側下端にはそれぞれ地側折り返し線を介してそれぞれ地側折畳み部分が形成され、
組み立て時にはこれら各天側折畳み部分が重ね合わせに折畳まれて貼着されることにより上記カバーケースの天側面が形成され、かつ、組み立て時にはこれら各地側折畳み部分が重ね合わせに折畳まれて貼着されることにより上記カバーケースの地側面が形成され、
組み立て時には箱状に組み立てたカバーケースの表面にプリント終了後の外貼り用プリント紙を貼着してカバーケースを作製することを特徴とするオリジナルカバーケース作製用のカバーケース作製キット。
【請求項２】
カバーケース芯材には外貼り用プリント紙が貼着される面である外面側の略全面に剥離紙で保護された接着面が設けられており、この接着面を介してプリント終了後の外貼り用プリント紙が貼着される請求項１に記載のオリジナルカバーケース作製用のカバーケース作製キット。
【請求項３】
２本の中央折り返し線、天側折り返し線及び地側折り返し線が、カバーケース芯材の表面に切り込みを有する切り込み線からなる請求項１又は２に記載のオリジナルカバーケース作製用のカバーケース作製キット。
【請求項４】
切り込み線が、カバーケース芯材の外面側の略全面に剥離紙で保護された接着面を設けた後に形成される請求項３に記載のオリジナルカバーケース作製用のカバーケース作製キット。
【請求項５】
第一側面部における天側折り返し線の高さ位置と第二側面部における天側折り返し線の高さ位置とが天地方向にカバーケース芯材の厚みの分だけ差を有し、また、第一側面部における地側折り返し線の高さ位置と第二側面部における地側折り返し線の高さ位置とが天地方向にカバーケース芯材の厚みの分だけ差を有する請求項１〜４のいずれかに記載のオリジナルカバーケース作製用のカバーケース作製キット。
【請求項６】
カバーケース芯材の内面側には、左右の外側縁に沿って剥離紙で保護された接着面が設けられている請求項１〜５のいずれかに記載のオリジナルカバーケース作製用のカバーケースキット。
【請求項７】
カバーケースの表面に貼着するラミネートフィルムを有する請求項１〜６のいずれかに記載のオリジナルカバーケース作製用のカバーケースキット。
【発明の詳細な説明】
【技術分野】
【０００１】
この発明は、個々人が自己の趣味に応じて内容の異なるオリジナルカバーケースを容易に、かつ、安価に作製することができるオリジナルカバーケース作製用のカバーケース作製キットに関し、特に個々人が趣味に応じて作製したオリジナル本を収容するブックケースの作製に好適である。
【背景技術】
【０００２】
書籍や雑誌等の製本された印刷物は、通常、専門的な出版社においてその編集から製本まで一貫して行われており、編集作業では、題材の選定、原稿の起草や校正、写真や挿絵等の選定、原稿や写真、挿絵等の割付、版下の作成と印刷等の作業が行われ、また、製本作業では、印刷された本文等を糸、針金、接着剤等で綴じ、これに印刷された表紙、見返し、扉等を用いて体裁を整えることが行われる。更に、辞典、文学書等の比較的高価な書籍については、専用のブックケースに入れられて店頭等で販売されており、このようなブックケースは、一般に比較的強度を有する厚紙に所定の印刷を行い、この厚紙を打抜き、折筋付、組立て、外貼り等の作業を行って作製される。
【０００３】
ところが、近年、パソコンやプリンターの機能が格段に進歩し、また、デジタルビデオやデジタルカメラが出現して撮影した画像を容易にパソコンに取り込んで編集できるようになり、これまで専ら出版社で行われていた専門的な編集作業を個々人がパソコン上で容易に行なうことができるようになってきており、最終的に、これらの画像を個々人が記録本や自己の趣味に応じた創作本として小冊子にまとめ、製本しておく要望がある。そこで、本発明者らは、上記要望に応じ、専門家の援助を必要とせずに個々人が家庭で容易に、かつ、安価に製本することができる製本キットを先に提案している（特許文献１）。
【０００４】
更に近時では、高画質対応のデジタルビデオやデジタルカメラが急速に普及していることに加え、これらで撮影した画像を高画質で出力可能な家庭用プリンター等の普及も進んでいることから、個々人が作製するオリジナル本の形態も多種多様に変化してきており、作製したオリジナル本を収容しておくカバーケースについても、オリジナル本の内容にあわせて個々人の趣味に応じて作製したいとの要望が高まっている。
【特許文献１】特開2002-166,679号公報
【発明の開示】
【発明が解決しようとする課題】
【０００５】
そこで本発明者らは、個々人が家庭で容易に、かつ、安価に作製することができるカバーケース作製キットについて鋭意検討した結果、所定の形状を有するカバーケース芯材を箱状に組立てた後に、このカバーケース芯材の表面にプリント終了後の外貼り用プリント紙を貼着することにより、特別な装置や熟練した技術を要することなく容易に、かつ、安価に作製できることを見出し、本発明を完成した。
【０００６】
従って、本発明の目的は、個々人が家庭で容易に、かつ、安価にオリジナルカバーケースを作製することができるオリジナルカバーケース作製用のカバーケース作製キットを提供することにある。
【課題を解決するための手段】
【０００７】
すなわち、本発明は、タイトルや模様等が描かれる外貼り用プリント紙と、箱状に組み立てられるカバーケース芯材とを有するオリジナルカバーケース作製用のカバーケース作製キットであって、カバーケース芯材は、略中央に設けられた天地方向に向かう互いに平行な２本の中央折り返し線によって、上記カバーケースの第一側面を形成する第一側面部と、上記カバーケースの第二側面を形成する第二側面部と、これら第一側面部と第二側面部との間に位置してカバーケースの厚みを決定する背面部とに区画されており、また、第一側面部と第二側面部の天側上端にはそれぞれ天側折り返し線を介してそれぞれ天側折畳み部分が形成され、また、第一側面部と第二側面部の地側下端にはそれぞれ地側折り返し線を介してそれぞれ地側折畳み部分が形成され、組み立て時にはこれら各天側折畳み部分が重ね合わせに折畳まれて貼着されることにより上記カバーケースの天側面が形成され、かつ、組み立て時にはこれら各地側折畳み部分が重ね合わせに折畳まれて貼着されることにより上記カバーケースの地側面が形成され、組み立て時には箱状に組み立てたカバーケースの表面にプリント終了後の外貼り用プリント紙を貼着してカバーケースを作製することができる、オリジナルカバーケース作製用のカバーケース作製キットである。
尚、本発明において天地方向と言うときは、特に説明する場合を除き、例えばカバーケースをブックケースとして使用して本を立てて収容する際の上下の方向と同じ方向を表すものとする。
【０００８】
本発明において、タイトルや模様等が描かれる外貼り用プリント紙としては、通常の家庭用プリンターで文字や画像を印刷できるものであるのがよく、通常の紙製のプリント紙や和紙であっても、また、合成樹脂製のフィルムからなる特殊なプリント紙であってもよいが、好ましくは、表面にインクジェットコートやレーザプリント適性が施されたプリント紙がよく、特に強靭で耐水性や耐磨耗性に優れたインクジェット専用合成紙（片面）等の専用特殊用紙であるのがよい。この外貼り用プリント紙としては、カバーケースの左側面（本明細書中では左側面のことを第一側面又は第二側面と呼ぶこともある）の部分、背面の部分及び右側面（本明細書中では右側面のことを第一側面又は第二側面と呼ぶこともある）の部分を含む１枚のプリント紙で構成されていてもよいが、使用するプリンターの印刷可能なサイズが比較的小さい場合には、例えば、第一側面用、背面用、第二側面用等のように複数枚に分割されていてもよい。
【０００９】
また、カバーケース芯材については、比較的厚みがあって剛性に優れているものであれば特に制限はなく、例えば紙製のボール紙や合成樹脂製のシート等を挙げることができる。
このカバーケース芯材については、略中央に設けられた天地方向に向かう互いに平行な２本の中央折り返し線によって、上記カバーケースの第一側面を形成する第一側面部と、上記カバーケースの第二側面を形成する第二側面部と、これら第一側面部と第二側面部との間に位置してカバーケースの厚みを決定する背面部とに区画されている。ここで、背面部については、カバーケースに収容することが予め想定される場合には、その収容物の厚みを考慮して決定するのがよい。
【００１０】
本発明においては、第一側面部と第二側面部の天側上端にはそれぞれ天側折り返し線を介してそれぞれ天側折畳み部分が形成され、また、第一側面部と第二側面部の地側下端にはそれぞれ地側折り返し線を介してそれぞれ地側折畳み部分が形成されるが、これらの天側折畳み部分と地側折畳み部分のそれぞれの幅についても、カバーケースに収容することが予め想定される場合には、その収容物の厚みを考慮して決定するのがよい。更に、本発明においては、背面部の天側上端及び地側両端にそれぞれ天側折り返し線及び地側折り返し線を介してそれぞれ天側折畳み部分及び地側折畳み部分を形成してもよい。
【００１１】
また、本発明においては、好ましくは第一側面部における天側折り返し線の高さ位置と第二側面部における天側折り返し線の高さ位置とが天地方向にカバーケース芯材の厚みの分だけ差を有すると共に、第一側面部における地側折り返し線の高さ位置と第二側面部における地側折り返し線の高さ位置とが天地方向にカバーケース芯材の厚みの分だけ差を有するのがよい。このように天側折り返し線の高さ及び地側折り返し線の高さについて、第一側面部と第二側面部においてそれぞれ差を設けることで、組み立て時に各天側折畳み部分及び各地側折畳み部分をそれぞれ重ね合わせて折畳んで貼着してカバーケースの天側面及び地側面を形成した場合に、浮き上がりのない天側面及び地側面を形成することができると共に、作製したカバーケースに歪みが生じることがない。
【００１２】
本発明において、上記２本の中央折り返し線、天側折り返し線及び地側折り返し線については、好ましくはそれぞれがカバーケース芯材の表面に切り込みを有する切り込み線からなるのがよい。例えば２本の中央折り返し線がカバーケース芯材の表面に切り込みを有する切り込み線からなることにより、２本の中央折り返し線の部分を山折りするのがより容易となると共に、カバーケースの第一側面、背面及び第二側面を形成するのがより正確に行うことができる。天側折り返し線と地側折り返し線についても、同様に山折りして天側折畳み部分及び地側折畳み部分を形成するのがより容易となると共に、より正確に行うことができる。これらの切り込み線の形状や切り込む深さ等についてはカバーケース芯材の材質や厚みに応じて適宜選択することができる。
【００１３】
本発明において、組み立て時には上記の各天側折畳み部分が重ね合わせに折畳まれて貼着されると共に、上記の各地側折畳み部分が重ね合わせに折畳まれて貼着され、また、組み立て時には箱状に組み立てたカバーケースの表面にプリント終了後の外貼り用プリント紙が貼着される。これらの間を貼着する接着剤については、カバーケースの組み立て作業の際に接着する部分に塗布してもよいが、好ましくは、カバーケース芯材に外貼り用プリント紙が貼着される面である外面側の各天側折畳み部分と各地側折畳み部分とを含めた第一側面部、背面部及び第二側面部の接着部分に予め接着剤が塗布された接着面を設けてこの接着面を剥離紙で保護しておくのがよく、より好ましくはカバーケース芯材の外面側の略全面にこのような剥離紙で保護された接着面を設けておくのがよい。このように、カバーケース芯材に剥離紙で保護された接着面を設けておくことにより、接着部分に必要以上に多量の接着剤が付着したり、接着部分以外の不必要な部分に接着剤が付着して汚れの原因になることがなく、カバーケースの組み立て作業を容易にかつ確実に行うことができる。
【００１４】
また、本発明におけるカバーケース芯材の内面側（外貼り用プリント紙が貼着される面とは反対側の面）には、左右の外側縁に沿って剥離紙で保護された接着面が設けられているのが好ましい。組み立て時に箱状に組み立てたカバーケースの表面にプリント終了後の外貼り用プリント紙を貼着した際、余った外貼り用プリント紙をカバーケースの内側に折り返してカバーケース芯材の内面側に貼着することができて、仕上がりを美麗にすることができる。
【００１５】
また、本発明においては、カバーケースの表面に貼着するラミネートフィルムを用意し、箱状に組み立てたカバーケースの表面にプリント終了後の外貼り用プリント紙を貼着してカバーケースを作製した後に、更にこのカバーケースの表面にラミネートフィルムを貼着するようにしてもよく、これによって作製したカバーケースの強度を高めることができると共に、耐水性及び防汚性を付与して長期の保存に耐えられるようにすることができる。このラミネートフィルムについては透明なフィルムにしておくのが好ましい。
【発明の効果】
【００１６】
本発明によれば、個々人が自己の趣味に応じて内容の異なるオリジナルカバーケースを容易に、かつ、安価に作製することができ、特に個々人が趣味に応じて作製したオリジナル本を収容するブックケースに好適であり、オリジナル本の内容に応じたオリジナルのブックケースを作製することができる。その他、個々人の趣味に応じてビデオテープ、カセットテープ、ＭＤ（ミニディスク）、スクラップブック等のオリジナルカバーケースを作製する場合にも好適である。
【発明を実施するための最良の形態】
【００１７】
以下、添付図面に示す実施例に基づいて、本発明の好適な実施の形態を具体的に説明する。
【００１８】
図１に本発明の実施例に係るオリジナルカバーケース作製用のカバーケース作製キットの各部品一式が示されている。
【００１９】
この実施例のカバーケース作製キットは、強靭で耐水性や耐摩擦性に優れたインクジェット専用の合成紙（片面）からなり、第一側面用、背面用、第二側面用及び予備を含めて４枚の外貼り用プリント紙１と、比較的厚みのあるボール紙で作成されたカバーケース芯材２と、カバーケースの厚みより若干大きい幅を有すると共にカバーケースの高さ（天地方向）より多少長く、その長さ方向に沿って貼着された剥離紙6bで保護された接着面6aをその両面にそれぞれ有する第一両面接着テープ６と、カバーケースの奥行き（第一側面及び第二側面の幅）と同じ長さを有し、その長さ方向に沿って貼着された剥離紙7bで保護された接着面7aを両面にそれぞれに有する第二両面接着テープ７と、透明なフィルムから形成され、片面には剥離紙8bで保護された接着面8aを有する保護フィルム８とで構成されている。尚、図１においては、第一両面接着テープ６と第二両面接着テープ７は外面側と内面側とをそれぞれ別個に示している。
【００２０】
この実施例における上記カバーケース芯材２は、図２に示すように、第一側面用、背面用及び第二側面用の各外貼り用プリント紙１を貼着する面である外面側の全面には予め接着剤が塗布された接着面が設けられており、この接着面には剥離紙が貼着されて接着面を保護している。そして、このカバーケース芯材２の外面側は、中央付近に設けられた天地方向に向かう互いに平行な２本の中央切り込み線９によってカバーケースＸの第一側面を形成する第一側面部３と、カバーケースＸの第二側面を形成する第二側面部４と、これら第一側面部３と第二側面部４との間に位置してカバーケースＸの厚みを決定する背面部５とに区画されている。また、上記第一側面部３は、天側上端に設けられた第一側面天側切り込み線10と地側下端に設けられた第一側面地側切り込み線11とによって第一側面本体部分3x、第一側面天側折畳み部分3y、及び第一側面地側折畳み部分3zとに区画されている。同様に、上記第二側面部４は、第二側面天側切り込み線12と第二側面地側切り込み線13とによって第二側面本体部分4x、第二側面天側折畳み部分4y、及び第二側面地側折畳み部分4zとに区画され、また、上記背面部５は、背面天側切り込み線14と背面地側切り込み線15とによって背面本体部分5x、背面天側折畳み部分5y、及び背面地側折畳み部分5zとに区画されている。
【００２１】
上記第二側面天側折畳み部分4yと背面天側折畳み部分5yには、互いに隣接する端部に角度が90°となる切り欠きが設けられており、同様に、第二側面地側折畳み部分4zと背面地側折畳み部分5zには、互いに隣接する端部に角度が90°となる切り欠きが設けられている。また、第一側面天側切り込み線10は、第二側面天側切り込み線12及び背面天側切り込み線14と比べて天地方向の高さ位置がカバーケース芯材２を形成するボール紙の厚みの分だけ高い位置に設けられており、一方、第一側面地側切り込み線11は、第二側面地側切り込み線13及び背面地側切り込み線15と比べて天地方向の高さ位置がカバーケース芯材２を形成するボール紙の厚みの分だけ低い位置に設けられている。
【００２２】
上記２本の中央切り込み線９、第一側面部天側切り込み線10、第一側面部地側切り込み線11、第二側面部天側切り込み線12、第二側面部地側切り込み線13、背面部天側切り込み線14、及び背面部地側切り込み線15は、全て接着面を保護している剥離紙の上からカバーケース芯材２の内面側に向かって切り込みを入れて形成していることから（カバーケース芯材２の厚さ方向の途中まで切り込みが設けられている）、第一側面部本体部分3x、第一側面部天側折畳み部分3y、第一側面部地側折畳み部分3z、第二側面部本体部分4x、第二側面部天側折畳み部分4y、第二側面部地側折畳み部分4z、背面部本体部分5x、背面部天側折畳み部分5y、及び背面部地側折畳み部分5zの各部分では、それぞれ別個に剥離紙2bを剥離して接着面2aを露出することができる。
【００２３】
また、上記カバーケース芯材２の内面側には、図２に示すように、左右それぞれの外側縁に沿って剥離紙2bで保護された接着面2aが設けられている。尚、この内面側に符号16で示した個所は、カバーケース芯材２の組み立て時に谷折れ線となる個所を示している。
【００２４】
この実施例のカバーケース作製キットを用いてカバーケースＸを作製するためには、先ず、図３に示すように、プリンター１７を用いて、第一側面用、背面用及び第二側面用の各外貼り用プリント紙１にそれぞれ対応する模様、図柄、タイトル、著者名等を印刷し、図４に示すように、それぞれ所定のサイズに切断し、第一側面外貼り用プリント紙1a、背面外貼り用プリント紙1c、及び第二側面外貼り用プリント紙1bを作製する〔図４では背面外貼り用プリント紙1cについては外面側（印刷面）と内面側（カバーケース芯材側）とをそれぞれ別個に示している〕。尚、背面外貼り用プリント紙1cについては、プリント終了後の裏面（絵柄等を印刷した面の反対側の面）の所定の位置に一方の面の剥離紙6bを剥がして接着面6aを露出させた第一両面接着テープ６を貼着した後、必要なサイズに切断するようにする。
【００２５】
次に、カバーケース芯材２の第二側面天側折畳み部分4y、背面天側折畳み部分5y、第二側面地側折畳み部分4z及び背面地側折畳み部分5zの各部分における剥離紙2bをそれぞれ剥がして接着面2aを露出させた後、図５に示すように、カバーケース芯材２を２本の中央切り込み線９に沿って折りながら、第二側面部天側切り込み線12と背面部天側切り込み線14に沿ってそれぞれ第二側面天側折畳み部分4yと背面天側折畳み部分5yを折畳み、これらの表面の接着面2aに第一側面部天側折畳み部分3yが重ね合わさるように第一側面天側切り込み線10に沿って折畳み貼着してカバーケースＸの天側面を形成する。同様にして第二側面地側折畳み部分4zと背面地側折畳み部分5zとを折畳み、これらの表面の接着面2aに第一側面部地側折畳み部分3zを重ね合わせるように折畳み貼着してカバーケースＸの地側面を形成する（図５においてはカバーケースＸの天側面と地側面を形成する際の様子を背側から見た場合と入口側から見た場合をそれぞれ別個に示している）。このようにして、カバーケース芯材２を箱状に組み立てる。
【００２６】
次に、図６に示すように、第一側面外貼り用プリント紙1aの裏面（絵柄等を印刷した面と反対側の面）の所定の位置に箱状に組み立てたカバーケース芯材２を配置し〔図６における（Ａ）〕、カバーケース芯材２の背面本体部分5xの剥離紙2bを剥がして接着面2aを露出させ、第一側面外貼り用プリント紙1aの背側を背面本体部分5xに貼着する〔同（Ｂ）〕。次に、図７に示すように、箱状にしたカバーケース芯材２を裏返して上記第一側面外貼り用プリント紙1aが上になるように置き、第一側面部本体部分3xの剥離紙2bを背側から1/4程度剥がして接着面2aを露出させ、この接着面2aに第一側面外貼り用プリント紙1aを背側から少しずつ貼着させて、剥離紙2bを剥がしながらカバーケース芯材２の第一側面本体部分3xの全体に第一側面外貼り用プリント紙1aを貼着する。同様に、箱状に組み立てたカバーケース芯材２の背面部５に第二側面外貼り用プリント紙1bの背側を貼着して、カバーケース芯材２の第二側面本体部分4xに第二側面外貼り用プリント紙1bを貼着する。
【００２７】
上記のように、第一側面外貼り用プリント紙1a及び第二側面外貼り用プリント紙1bを貼着したカバーケース芯材２について、次に、図８に示すように、カバーケース芯材２の地側面を形成している第一側面部地側折畳み部分3zの剥離紙2bを剥がして接着面2aを露出させ、第一側面外貼り用プリント紙1aと第二側面外貼り用プリント紙1bの地側をそれぞれ背側の角が折り込まれるように貼着する。第一側面外貼り用プリント紙1aと第二側面外貼り用プリント紙1bの天側についても同様に処理する。次に、背面外貼り用プリント紙1cについて、予め裏面に貼着した第一両面接着テープ６の残りの剥離紙6bを天側から一部剥がして接着面6aを露出させ、図９に示すように、第一側面外貼り用プリント紙1a及び第二側面外貼り用プリント紙1bの一部が貼着されたカバーケース芯材２の天側面の一部に背面外貼り用プリント紙1cを貼着し、更にカバーケース芯材２の背面本体部分5xに貼着して、最後に残った地側の端部をカバーケース芯材２の地側面に貼着する。
【００２８】
次に、図１０に示すように、カバーケース芯材２の天側に残った第二側面外貼り用プリント紙1bの端部をカバーケース芯材２の第一側面部天側折畳み部分3yの接着面2aに貼着する。更に、一方の面の剥離紙7bを剥がして接着面7aを露出させた第二両面接着テープ７を残った第一側面外貼り用プリント紙1aの裏面の端部に沿って貼着し、先に第二側面外貼り用プリント紙1bの端部が貼着されたカバーケース芯材２の第一側面部天側折畳み部分3yに、第二両面接着テープ７の残りの剥離紙7bを剥がして露出した接着面7aを介して第一側面外貼り用プリント紙1aの端部を貼着する。カバーケース芯材２の地側についても同様にして処理する。
【００２９】
次に、上記カバーケース芯材２の入口側に残った第一側面外貼り用プリント紙1aと第二側面外貼り用プリント紙1bの端部について、図１１に示すように、先ず、天側の端部にそれぞれ切り込みを入れ、天側面の方に残ったそれぞれの端部を箱状に組み立てたカバーケース芯材２の内側に折り返し、地側についても同様に処理する。次に、カバーケース芯材２の内面側の縁に沿って設けられた２つの接着面2aの剥離紙2bをそれぞれ剥がし、第一側面外貼り用プリント紙1aと第二側面外貼り用プリント紙1bの残った端部をカバーケース芯材２の内側に折り返して上記接着面2aに貼着する。このようにして入口側を処理して、カバーケースＸが完成する。
【００３０】
最後に、保護フィルム８の中央部分の剥離紙8bのみを剥がして接着面8aを露出させて上記で作製したカバーケースＸの背面を貼着し、図１２に示すように、カバーケースＸの第一側面及び第二側面についても、剥離紙8bを剥がして接着面8aを露出させた保護フィルム８を貼着する。この際、カバーケースＸの入口側にはカバーケースＸの厚みと略同じ厚みを有する補助具１８を挿入し、カバーケースＸの第一側面及び第二側面に保護フィルム８を貼着するようにする。そして、カバーケースＸの天側、地側、入口側に残った保護フィルム８の端部を処理して、カバーケースＸを更に美麗に仕上げ、かつ、耐久性等を高める。
【産業上の利用可能性】
【００３１】
本発明におけるオリジナルカバーケース作製用のカバーケース作製キットによれば、個々人の趣味に応じてオリジナルカバーケースを容易に、かつ、安価に作製することができるため、特に個々人が趣味に応じて作製したオリジナル本を収容するブックケースに好適であり、また、個々人の趣味に応じてビデオテープ、カセットテープ、ＭＤ（ミニディスク）、スクラップブック等のオリジナルカバーケースを作製する場合にも好適である。
【図面の簡単な説明】
【００３２】
【図１】図１は、本発明の実施例に係るオリジナルカバーケース作製用のカバーケース作製キットの各部品を示す説明図である。
【図２】図２は、カバーケース芯材を示す説明図である。
【図３】図３は、プリンターで外貼り用プリント紙に所定事項を印刷する様子を示す斜視説明図である。
【図４】図４は、作製された第一側面外貼り用プリント紙、背面外貼り用プリント紙、及び第二側面外貼り用プリント紙を示す説明図である。
【図５】図５は、カバーケース芯材を箱状に組み立てる際の様子を示す斜視説明図である。
【図６】図６は、箱状に組み立てたカバーケース芯材の背面に第一側面外貼り用プリント紙を貼着する様子を示す斜視説明図である。
【図７】図７は、箱状に組み立てたカバーケース芯材の第一側面に第一側面外貼り用プリント紙を貼着する様子を示す斜視説明図である。
【図８】図８は、箱状に組み立てたカバーケース芯材の表面に貼着した第一側面外貼り用プリント紙及び第二側面外貼り用プリント紙の地側の方の背側端部を処理する様子を示す斜視説明図である。
【図９】図９は、箱状に組み立てたカバーケース芯材の背面に背面外貼り用プリント紙を貼着する様子を示す斜視説明図である。
【図１０】図１０は、箱状に組み立てたカバーケース芯材の表面に貼着した第一側面外貼り用プリント紙及び第二側面外貼り用プリント紙の天側の端部を処理する様子を示す斜視説明図である。
【図１１】図１１は、箱状に組み立てたカバーケース芯材の表面に貼着した第一側面外貼り用プリント紙及び第二側面外貼り用プリント紙の入口側の端部を処理する様子を示す斜視説明図である。
【図１２】図１２は、カバーケースの表面に透明な保護フィルムを貼着する様子を示す斜視説明図である。
【符号の説明】
【００３３】
１：外貼り用プリント紙
1a：第一側面外貼り用プリント紙
1b：第二側面外貼り用プリント紙
1c：背面外貼り用プリント紙
２：カバーケース芯材
３：第一側面部
3x：第一側面部本体部分
3y：第一側面部天側折畳み部分
3z：第一側面部地側折畳み部分
４：第二側面部
4x：第二側面本体部分
4y：第二側面天側折畳み部分
4z：第二側面地側折畳み部分
５：背面部
5x：背面本体部分
5y：背面天側折畳み部分
5z：背面地側折畳み部分
６：第一両面接着テープ
７：第二両面接着テープ
８：保護フィルム
９：中央折り返し線
10：第一側面天側切り込み線
11：第一側面地側切り込み線
12：第二側面天側切り込み線
13：第二側面地側切り込み線
14：背面天側切り込み線
15：背面地側切り込み線
16：谷折れ線
17：プリンター
18：補助具
2a，6a，7a，8a：接着面
2b，6b，7b，8b：剥離紙
【図１】
2005319631.tif 000003
【図２】
2005319631.tif 000004
【図３】
2005319631.tif 000005
【図４】
2005319631.tif 000006
【図５】
2005319631.tif 000007
【図６】
2005319631.tif 000008
【図７】
2005319631.tif 000009
【図８】
2005319631.tif 000010
【図９】
2005319631.tif 000011
【図１０】
2005319631.tif 000012
【図１１】
2005319631.tif 000013
【図１２】
2005319631.tif 000014